(57)【要約】【課題】バッテリ残量に応じて、メイン表示部の表示機能を停止し、サブ表示部の表示機能のみを起動することができるようにする。【解決手段】ユーザによりバッテリセーブモードが設定されると、ＣＰＵ６１は、バッテリ制御部６５を制御し、バッテリ電池３７の電池残量を管理させる。そして、ＣＰＵ６１は、バッテリ制御部６５をモニタし、バッテリ電池３７の電池残量が所定の設定値以下になったと判定した場合、表示制御部７０を制御し、メイン表示部２３の表示機能を停止させるとともに、サブ表示部２４の表示機能のみを起動させることで、バッテリ電池の消費を抑える。本発明は、携帯電話機に適用できる。【選択図】      図３
2004297279.tif 000002
【特許請求の範囲】
【請求項１】
第１の表示部と第２の表示部を有する携帯型情報端末装置において、
バッテリ電池の残量を管理する管理手段と、
前記第１の表示部の表示機能を制御する制御手段と、
前記バッテリ電池の残量が所定値以下になったか否かを判定する判定手段と
を備え、
前記判定手段により前記バッテリ電池の残量が所定値以下になったと判定された場合、前記制御手段は、前記第１の表示部の表示機能を停止するとともに、前記第２の表示部の表示機能を制御する
ことを特徴とする携帯型情報端末装置。
【請求項２】
前記バッテリ電池の消費を抑えるモードを設定する設定手段をさらに備え、
前記設定手段により前記モードが設定され、前記判定手段により前記バッテリ電池の残量が所定値以下になったと判定された場合、前記モードに遷移する
ことを特徴とする請求項１に記載の携帯型情報端末装置。
【請求項３】
前記モードに遷移した場合、前記制御手段は、所定機能を実行し、前記所定機能に応じた情報を前記第２の表示部に表示する
ことを特徴とする請求項２に記載の携帯型情報端末装置。
【請求項４】
前記所定機能は、電話番号の検索処理である
ことを特徴とする請求項３に記載の携帯型情報端末装置。
【請求項５】
前記バッテリ電池の残量を表わすアイコンを表示する表示制御手段をさらに備える
ことを特徴とする請求項１に記載の携帯型情報端末装置。
【請求項６】
前記判定手段は、前記アイコンが所定の表示に遷移したか否かを判定する
ことを特徴とする請求項５に記載の携帯型情報端末装置。
【請求項７】
第１の表示部と第２の表示部を有する携帯型情報端末装置の情報処理方法において、
バッテリ電池の残量を管理する管理ステップと、
前記第１の表示部の表示機能を制御する制御ステップと、
前記バッテリ電池の残量が所定値以下になったか否かを判定する判定ステップと
を含み、
前記判定ステップの処理により前記バッテリ電池の残量が所定値以下になったと判定された場合、前記制御ステップは、前記第１の表示部の表示機能を停止するとともに、前記第２の表示部の表示機能を制御する
ことを特徴とする情報処理方法。
【請求項８】
第１の表示部と第２の表示部を有する携帯型情報端末装置の情報処理を、コンピュータに行わせるプログラムにおいて、
バッテリ電池の残量を管理する管理ステップと、
前記第１の表示部の表示機能を制御する制御ステップと、
前記バッテリ電池の残量が所定値以下になったか否かを判定する判定ステップと
を含み、
前記判定ステップの処理により前記バッテリ電池の残量が所定値以下になったと判定された場合、前記制御ステップは、前記第１の表示部の表示機能を停止するとともに、前記第２の表示部の表示機能を制御する
ことを特徴とするコンピュータが読み取り可能なプログラムが記録されている記録媒体。
【請求項９】
第１の表示部と第２の表示部を有する携帯型情報端末装置の情報処理を、コンピュータに行わせるプログラムにおいて、
バッテリ電池の残量を管理する管理ステップと、
前記第１の表示部の表示機能を制御する制御ステップと、
前記バッテリ電池の残量が所定値以下になったか否かを判定する判定ステップと
を含み、
前記判定ステップの処理により前記バッテリ電池の残量が所定値以下になったと判定された場合、前記制御ステップは、前記第１の表示部の表示機能を停止するとともに、前記第２の表示部の表示機能を制御する
ことをコンピュータに実行させることを特徴とするプログラム。
【発明の詳細な説明】
【０００１】
【発明の属する技術分野】
本発明は、携帯型情報端末装置および情報処理方法、記録媒体、並びにプログラムに関し、特に、例えば、バッテリ残量に応じて表示機能を制御するようにした携帯型情報端末装置および情報処理方法、記録媒体、並びにプログラムに関する。
【０００２】
【従来の技術】
従来の携帯電話機は、メモ機能、および、電話番号やメールアドレス等のアドレス記憶の機能が標準装備されており、電話番号の検索時に、携帯電話機のアドレス帳が使用されることが多くなってきた。
【０００３】
例えば、折り畳み式の携帯電話機を用いて電話番号の検索を行う場合、ユーザは、携帯電話機を折り畳んだ状態から開いた状態にし、表示画面にアドレス帳を表示させて、所望の電話番号を検索する。
【０００４】
また例えば、折り畳み式の携帯電話機を用いて、電子メールを送信する場合、ユーザは、やはり、携帯電話機を折り畳んだ状態から開いた状態にし、表示画面に電子メールを作成するエディタを表示させて、相手先のメールアドレスを検索したり、メール内容を入力する。
【０００５】
このように、折り畳み式の携帯電話機を用いて各種操作を行う場合、ユーザは、携帯電話機を折り畳んだ状態から開いた状態にする必要がある。
【０００６】
そこで例えば、携帯電話機を折り畳んだ状態から開いた状態にした場合に閲覧可能な第１の表示画面の他に、折り畳んだ状態でも閲覧可能な第２の表示画面を設けるようにしているものがある（特許文献１参照）。
【０００７】
【特許文献１】
特開２００３−３７６６４号公報
【０００８】
【発明が解決しようとする課題】
ところで、携帯電話機のバッテリ電池の残量がゼロ（空）になってしまうと、第１の表示画面はもとより、第２の表示画面においても、アドレス帳に記憶されている電話番号の検索を行うことができなくなってしまう課題があった。
【０００９】
本発明はこのような状況に鑑みてなされたものであり、メイン表示部とサブ表示部を設け、バッテリ残量に応じて、メイン表示部の表示機能を停止し、サブ表示部の表示機能のみを起動することができるようにするものである。
【００１０】
【課題を解決するための手段】
本発明の携帯型情報端末装置は、バッテリ電池の残量を管理する管理手段と、第１の表示部の表示機能を制御する制御手段と、バッテリ電池の残量が所定値以下になったか否かを判定する判定手段とを備え、判定手段によりバッテリ電池の残量が所定値以下になったと判定された場合、制御手段は、第１の表示部の表示機能を停止するとともに、第２の表示部の表示機能を制御することを特徴とする。
【００１１】
前記バッテリ電池の消費を抑えるモードを設定する設定手段をさらに設けるようにすることができ、設定手段によりモードが設定され、判定手段によりバッテリ電池の残量が所定値以下になったと判定された場合、モードに遷移するようにすることができる。
【００１２】
前記モードに遷移した場合、制御手段には、所定機能を実行させ、所定機能に応じた情報を第２の表示部に表示させるようにすることができる。
【００１３】
前記所定機能は、電話番号の検索処理であるものとすることができる。
【００１４】
前記バッテリ電池の残量を表わすアイコンを表示する表示制御手段をさらに設けるようにすることができる。
【００１５】
前記判定手段には、アイコンが所定の表示に遷移したか否かを判定させるようにすることができる。
【００１６】
本発明の情報処理方法は、バッテリ電池の残量を管理する管理ステップと、第１の表示部の表示機能を制御する制御ステップと、バッテリ電池の残量が所定値以下になったか否かを判定する判定ステップとを含み、判定ステップの処理によりバッテリ電池の残量が所定値以下になったと判定された場合、制御ステップは、第１の表示部の表示機能を停止するとともに、第２の表示部の表示機能を制御することを特徴とする。
【００１７】
本発明の記録媒体に記録されているプログラムは、バッテリ電池の残量を管理する管理ステップと、第１の表示部の表示機能を制御する制御ステップと、バッテリ電池の残量が所定値以下になったか否かを判定する判定ステップとをコンピュータに行わせ、判定ステップの処理によりバッテリ電池の残量が所定値以下になったと判定された場合、制御ステップは、第１の表示部の表示機能を停止するとともに、第２の表示部の表示機能を制御することを特徴とする。
【００１８】
本発明のプログラムは、バッテリ電池の残量を管理する管理ステップと、第１の表示部の表示機能を制御する制御ステップと、バッテリ電池の残量が所定値以下になったか否かを判定する判定ステップとをコンピュータに行わせ、判定ステップの処理によりバッテリ電池の残量が所定値以下になったと判定された場合、制御ステップは、第１の表示部の表示機能を停止するとともに、第２の表示部の表示機能を制御することを特徴とする。
【００１９】
本発明においては、バッテリ電池の残量が管理され、第１の表示部の表示機能が制御され、バッテリ電池の残量が所定値以下になったと判定された場合、第１の表示部の表示機能が停止されるとともに、第２の表示部の表示機能が制御される。
【００２０】
【発明の実施の形態】
以下、図を参照して、本発明の実施の形態について説明する。
【００２１】
図１および図２は、本発明に係るデジタル携帯電話機１の外観の構成例を示す図である。図１は、携帯電話機１の折り畳みを開いた状態の正面図を示し、図２Ａは、携帯電話機１の折り畳みを開いた状態の背面図を示し、図２Ｂは、携帯電話機１を折り畳んだ状態の背面図を示している。
【００２２】
同図に示されるように、デジタル携帯電話機１は、上部筺体１２、および、中央のヒンジ部１１を介して連結された下部筺体１３で構成され、ヒンジ部１１により折り畳み可能に形成されている。
【００２３】
上部筺体１２は、上端（この例では、上端左部）に引出しまたは収納可能な送受信用のアンテナ２１を有する。デジタル携帯電話機１は、アンテナ２１を介して、固定無線局である基地局（図示せず）との間で電波を送受信する。
【００２４】
また、上部筺体１２は、上端中央部にスピーカ２２を有する。スピーカ２２は、電気信号を可聴可能な音声に変換する。
【００２５】
また、上部筺体１２の正面には、液晶ディスプレイなどのメイン表示部２３が設けられている。メイン表示部２３は、電波の受信状態、バッテリ電池の残量、電話帳として登録されている相手先名や電話番号および発信履歴等の他、電子メールの内容、および簡易ホームページなどを表示する。
【００２６】
さらに、上部筺体１２の背面には、図２Ａおよび図２Ｂに示すように、デジタル携帯電話機１を折り畳んだ状態でも閲覧することが可能な位置に、液晶ディスプレイなどのサブ表示部２４が設けられている。サブ表示部２４は、着信番号や時計などを表示する。
【００２７】
下部筺体１３には、その表面に「０」乃至「９」の数字キー、発呼キー、リダイヤルキー、終話及び電源キー、クリアキー及び電子メールキー等の操作キー３１が設けられている。この操作キー３１の操作に対応した各種指示が、デジタル携帯電話機１に入力される。
【００２８】
また、下部筺体１３の操作キー３１の下部にメモボタン３２およびマイクロフォン３３が設けられている。デジタル携帯電話機１は、メモボタン３２が操作されたとき、通話中の相手の音声を録音する。マイクロフォン３３は、通話時の使用者の音声を集音し、電気信号に変換する。
【００２９】
また、下部筺体１３の操作キー３１の上部に回動自在なジョグダイヤル３４が、下部筺体１３の表面から僅かに突出した状態で設けられている。デジタル携帯電話機１は、ジョグダイヤル３４に対する回動操作に応じて、メイン表示部２３に表示されている電話帳リストもしくは電子メールのスクロール動作、簡易ホームページのページ捲り動作、または画像の送り動作等の種々の動作を実行する。
【００３０】
例えば、下部筺体１３は、使用者によるジョグダイヤル３４の回動操作に応じてメイン表示部２３に表示された電話帳リスト（複数の電話番号）の中から所望の電話番号を選択し、ジョグダイヤル３４が下部筺体１３の内部方向に押圧されたとき、選択されている電話番号を確定して、確定した電話番号に対して自動的に発呼処理を行う。
【００３１】
さらに、図２Ａおよび図２Ｂに示すように、下部筺体１３の右側面には、デジタル携帯電話機１を折り畳んだ状態でも、あるいは、折り畳みを開いた状態でも特定の機能を操作することが可能なサイドキー３６が設けられている。このサイドキー３６の操作に対応した各種指示が、デジタル携帯電話機１に入力される。
【００３２】
なお、下部筺体１３は、背面側にバッテリ電池３７が装着されており、終話／電源キーがオン状態になると、バッテリ電池３７から各回路部に対して電力が供給されて動作可能な状態に起動する。
【００３３】
ところで、下部筺体１３の左側面上部に抜差自在なリムーバブルメディア４１を装着するためのメディアスロット３５が設けられている。デジタル携帯電話機１は、メモボタン３２が押下されると、通話中の相手の音声を装着されているリムーバブルメディア４１に記録する。デジタル携帯電話機１は、使用者の操作に応じて、電子メールや画像データなどを、装着されているリムーバブルメディア４１に記録する。
【００３４】
リムーバブルメディア４１は、電気的に書換えや消去が可能な不揮発性メモリであるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）の一種であるフラッシュメモリ素子を格納しており、画像や音声、音楽等の各種データの書き込みおよび読み出しが可能となっている。
【００３５】
図３は、デジタル携帯電話機１の内部の構成例を示す機能ブロック図である。同図に示されるように、制御データなどを伝送する制御ライン６８を介して、ＣＰＵ（Ｃｅｎｔｒａｌ  Ｐｒｏｃｅｓｓｉｎｇ  Ｕｎｉｔ）６１、ＲＯＭ（Ｒｅａｄ  Ｏｎｌｙ  Ｍｅｍｏｒｙ）６２、ＲＡＭ（Ｒａｎｄｏｍ  Ａｃｃｅｓｓ  Ｍｅｍｏｒｙ）６３、操作キー３１、ジョグダイヤル３４、サイドキー３６、記憶部６４、バッテリ制御部６５、音声処理部６６、通信部６７、メディアスロット３５、および表示制御部７０が相互に接続されているとともに、音声データやパケットデータなどを伝送するデータライン６９を介して、ＲＯＭ６２、ＲＡＭ６３、通信部６７、マイクロフォン３３、スピーカ２２、および表示制御部７０が接続されている。これらは、図示せぬ電源回路から供給される電力により動作可能な状態となる。
【００３６】
ＣＰＵ６１は、ＲＯＭ６２に記憶されているプログラム、または記憶部６４からＲＡＭ６３にロードされたプログラムに従って、各種の処理を実行する。ＲＯＭ６２は、一般的には、ＣＰＵ６１が使用する各種プログラムや演算用のパラメータのうちの基本的に固定のデータを格納する。ＲＡＭ６３は、ＣＰＵ６１が各種の処理を実行する上において必要なデータなどを適宜格納する。
【００３７】
操作キー３１、ジョグダイヤル３４、およびサイドキー３６は、ユーザによる操作に対応した各種指示をＣＰＵ６１に入力する。記憶部６４は、不揮発性メモリなどで構成され、ＣＰＵ６１が実行する各種プログラムやデータ（例えば、音声データや画像データ、および、電子メールや簡易ホームページにリンクされたデータ）などを記録する。バッテリ制御部６５は、バッテリ電池３７の電池残量などを管理する。
【００３８】
音声処理部６６は、通信部６７より供給された高周波データをスペクトラム逆拡散処理し、アナログ音声信号に変換した後、スピーカ２２に出力する。また音声処理部６６は、マイクロフォン３３で集音された音声信号をデジタル音声データに変換し、スペクトラム拡散処理した後、通信部６７に出力する。
【００３９】
アンテナ２１は、固定無線局である基地局（図示せず）との間で電波を送受信する。通信部６７は、アンテナ２１で受信した受信信号を増幅して周波数変換処理およびアナログデジタル変換処理を施し、音声処理部６６に出力する。また通信部６７は、音声処理部６６から供給されたデジタル音声データをデジタルアナログ変換処理および周波数変換処理を施した後、アンテナ２１を介して送信する。
【００４０】
メディアスロット３５には、必要に応じて、リムーバブルメディア４１が適宜装着され、そこから読み出されたプログラムが、必要に応じて記憶部６４にインストールされる。また、記憶部６４に記憶されている音声データや画像データ、あるいは、電子メールや簡易ホームページにリンクされたデータなどを、ユーザの操作により、リムーバブルメディア４１に記録することもできる。
【００４１】
マイクロフォン３３は、集音した音声を電気信号に変換し、データライン６９を介して音声処理部６６に出力する。スピーカ２２は、データライン６９を介して供給されたデータ、またはアナログ音声信号に対応する所定の音声を出力する。表示制御部７０は、メイン表示部２３およびサブ表示部２４を制御し、各種情報をテキストやイメージなどで表示させる。
【００４２】
次に、デジタル携帯電話機１の使用方法について簡単に説明する。
【００４３】
例えば、ユーザは、音声通話、電子メールの作成および送信、またはインターネットへのアクセスなどを行う場合、デジタル携帯電話機１を、折り畳んだ状態（図２Ｂ）から、折り畳みを開いた状態（図１）にする。そして、ユーザは、デジタル携帯電話機１を、メイン表示部２３が正面になるようにして片手で把持する。これにより、親指がジョグダイヤル３４に当接し、メイン表示部２３に表示されている電話帳リストや電子メールのスクロール動作（回動操作）、および選択動作（本体側への押圧操作）などを行うことができる。
【００４４】
また例えば、ユーザは、電話番号の検索などを行う場合、デジタル携帯電話機１を、折り畳んだ状態（図２Ｂ）から、サブ表示部２４が正面になるようにして折り畳みを開いた状態（図２Ａ）にする。そして、ユーザは、デジタル携帯電話機１を、人差し指がジョグダイヤル３４に当接するようにして片手で把持する。これにより、サブ表示部２４に表示されている電話番号のスクロール動作（回動操作）、および選択動作（本体側への押圧操作）などを行うことができる。
【００４５】
このように、電子メールの作成といった編集作業などを行う場合には、メイン表示部２３に各種イメージを表示させるようにし、電話番号検索時のスクロール動作といった単純作業を行う場合には、サブ表示部２４に電話番号などを表示させるようにし、メイン表示部２３とサブ表示部２４を、使用用途に応じて使い分けることができる。
【００４６】
なお、サブ表示部２４に表示されている電話番号のスクロール動作は、デジタル携帯電話機１を折り畳んだ状態（図２Ｂ）のままでも行うことができる。すなわち、ユーザは、折り畳んだ状態のデジタル携帯電話機１を、人差し指がサイドキー３６に当接するようにして片手（いまの場合、右手）で把持する。これにより、サブ表示部２４に表示されている電話番号のスクロール動作といった特定の機能を操作することができる。また、検索した電話番号をサブ表示部２４に表示させた状態で、デジタル携帯電話機１の折り畳みを開いた際に、自動的に発呼処理を行うようにしても良い。
【００４７】
図４は、デジタル携帯電話機１の電源を投入した場合のメイン表示部２３の表示例を示す図である。図４の例の場合、バッテリ電池３７の電池残量を表わすアイコン９１、アンテナ２１の受信状態を表わすアイコン９２、および、操作メニューを表示する場合にユーザにより選択されるメニューボタン９３が表示されている。
【００４８】
バッテリ電池３７の電池残量を表わすアイコン９１は、例えば、図５Ａ乃至図５Ｄに示されるように、バッテリ制御部６５が管理するバッテリ電池３７の電池残量に応じて、その表示が遷移する。
【００４９】
例えば、バッテリ電池３７の電池残量が１００乃至６７％（充分）の場合には、図５Ａに示すように表示され、バッテリ電池３７の電池残量が６６乃至３４％（中位）の場合には、図５Ｂに示すように表示され、バッテリ電池３７の電池残量が３３％以下（残りわずか）の場合には、図５Ｃに示すように表示され、バッテリ電池３７の電池残量がゼロ（空）の場合には、図５Ｄに示すように表示される。
【００５０】
以下、本実施の形態においては、図５Ａに示す表示状態をＦＵＬＬ（フル）状態と称し、図５Ｄに示す表示状態をＥＭＰＴＹ（エンプティ）状態と称する。
【００５１】
デジタル携帯電話機１は、図５Ｃに示すように、バッテリ電池３７の電池残量が残りわずかになった場合、自動的にメイン表示部２３の表示機能をオフにし、その代わりに、最低限必要となる機能（例えば、電話番号検索など）をサブ表示部２４で表示させるようにすることができる。
【００５２】
より具体的には、ユーザが、メイン表示部２３に表示されているメニューボタン２３を選択してメニュー画面（図示せず）を表示させ、操作メニューの中から、「バッテリセーブモード設定」の項目を選択する。これにより、表示制御部７０は、メイン表示部２３を制御し、例えば、図６に示されるようなバッテリセーブモード設定画面を表示させる。ここで、バッテリセーブモードとは、バッテリ電池３７の消費を抑えるモードのことである。
【００５３】
図６に示すバッテリセーブモード設定画面には、バッテリセーブモードのオンまたはオフを設定する場合に操作されるリストボックス１０１、バッテリセーブモードのモード種類を設定する場合に操作されるリストボックス１０２、リストボックス１０１，１０２を選択する場合に操作される選択ボタン１０３、および、設定を完了する場合に操作される選択ボタン１０４が表示されている。
【００５４】
例えば、メイン表示部２３に表示されているバッテリセーブモード設定画面において、ユーザが、ジョグダイヤル３４を操作し、リストボックス１０１をアクティブ表示にして選択ボタン１０３を選択する。この操作により、リストボックス１０１には、「ＯＮ」および「ＯＦＦ」の項目が表示される。
【００５５】
ユーザは、バッテリセーブモードの設定をオンする場合には、「ＯＮ」の項目をアクティブ表示にして選択ボタン１０３を選択し、バッテリセーブモードの設定をオフする場合には、「ＯＦＦ」の項目をアクティブ表示にして選択ボタン１０３を選択する。
【００５６】
そして、バッテリセーブモードの設定をオンにした場合、次にユーザは、ジョグダイヤル３４を操作し、リストボックス１０２をアクティブ表示にして選択ボタン１０３を選択する。この操作により、リストボックス１０２には、「電池残量」および「設定直後」などの項目が表示される。
【００５７】
ユーザは、バッテリ制御部６５が管理するバッテリ電池３７の電池残量に応じて、デジタル携帯電話機１がバッテリセーブモードに入るように設定する場合には、「電池残量」の項目をアクティブ表示にして選択ボタン１０３を選択し、バッテリセーブモード設定完了とともにデジタル携帯電話機１がバッテリセーブモードに入るように設定する場合には、「設定直後」の項目をアクティブ表示にして選択ボタン１０３を選択する。
【００５８】
以上のようにして、デジタル携帯電話機１のバッテリセーブモードの設定をオンにすることで、バッテリ電池３７の電池残量が所定の設定値以下になるか、あるいは、モード設定直後に、デジタル携帯電話機１をバッテリセーブモードに遷移させることができる。これにより、メイン表示部２３の表示機能がオフされるとともに、サブ表示部２４の表示機能のみがオンにされるため、バッテリ電池の消費を抑えることができる。
【００５９】
次に、図７のフローチャートを参照して、デジタル携帯電話機１が実行するバッテリセーブモード処理について説明する。
【００６０】
ステップＳ１において、ＣＰＵ６１は、ユーザにより、操作キー３１またはジョグダイヤル３４が操作され、バッテリセーブモードが設定されたか否か、すなわち、図６に示したバッテリセーブモード設定画面において、リストボックス１０１に「ＯＮ」が設定されたか否かを判定し、バッテリセーブモードが設定されるまで待機する。
【００６１】
ステップＳ１において、バッテリセーブモードが設定されたと判定された場合、ステップＳ２に進み、ＣＰＵ６１は、モード種類が電池残量であるか否か、すなわち、バッテリセーブモード設定画面において、リストボックス１０２に「電池残量」が設定されているか否かを判定する。
【００６２】
ステップＳ２において、モード種類が電池残量に設定されていると判定された場合、ステップＳ３に進み、ＣＰＵ６１は、バッテリ制御部６５を制御し、バッテリ電池３７の電池残量を管理させる。そして、ＣＰＵ６１は、バッテリ制御部６５をモニタし、バッテリ電池３７の電池残量が所定の設定値以下になったか否かを判定し、バッテリ電池３７の電池残量が所定の設定値以下になったと判定されまで監視し続ける。
【００６３】
ステップＳ３において、バッテリ電池３７の電池残量が所定の設定値以下になったと判定された場合、ステップＳ４に進み、ＣＰＵ６１は、表示制御部７０を制御し、メイン表示部２３の表示機能を停止させるとともに、サブ表示部２４の表示機能のみを起動させる。
【００６４】
ステップＳ５において、ＣＰＵ６１は、バッテリ制御部６５をモニタし、バッテリ電池３７が充電されたか否か、すなわち、ＦＵＵ状態になったか否かを判定し、バッテリ電池３７が充電されたと判定した場合、ステップＳ６に進む。ステップＳ６において、ＣＰＵ６１は、ユーザにより、操作キー３１またはジョグダイヤル３４が操作され、バッテリセーブモードが解除されたか否か、すなわち、図６に示したバッテリセーブモード設定画面において、リストボックス１０１に「ＯＦＦ」が設定されたか否かを判定する。
【００６５】
ステップＳ６において、バッテリセーブモードが解除されていないと判定された場合、ステップＳ３に戻り、上述した処理が繰り返し実行される。一方、バッテリセーブモードが解除されたと判定された場合、ステップＳ１に戻り、上述した処理が繰り返し実行される。
【００６６】
ステップＳ５において、バッテリ電池３７が充電されていないと判定された場合、ステップＳ７に進み、ＣＰＵ６１は、バッテリ制御部６５をモニタし、バッテリ電池３７がＥＭＰＴＹ状態になったか否かを判定し、バッテリ電池３７がＥＭＰＴＹ状態になっていないと判定した場合、ステップＳ４に戻り、上述した処理を繰り返し実行する。
【００６７】
ステップＳ２において、モード種類が電池残量ではなく設定直後である、すなわち、バッテリセーブモード設定画面において、リストボックス１０２に「設定直後」が設定されていると判定された場合、ステップＳ８に進み、ＣＰＵ６１は、表示制御部７０を制御し、メイン表示部２３の表示機能を停止させるとともに、サブ表示部２４の表示機能のみを起動させる。
【００６８】
ステップＳ９において、ＣＰＵ６１は、ユーザにより、操作キー３１またはジョグダイヤル３４が操作され、バッテリセーブモードが解除されたか否かを判定し、バッテリセーブモードが解除されたと判定した場合、ステップＳ１に戻り、上述した処理を繰り返し実行する。
【００６９】
ステップＳ９において、バッテリセーブモードが解除されていないと判定された場合、ステップＳ１０に進み、ＣＰＵ６１は、バッテリ制御部６５をモニタし、バッテリ電池３７がＥＭＰＴＹ状態になったか否かを判定し、バッテリ電池３７がＥＭＰＴＹ状態になっていないと判定した場合、ステップＳ８に戻り、上述した処理を繰り返し実行する。
【００７０】
そして、ステップＳ７またはステップＳ１０において、バッテリ電池３７がＥＭＰＴＹ状態になったと判定された場合、処理は終了される。
【００７１】
以上のように、バッテリ制御部６５により管理されるバッテリ電池３７の電池残量に応じて、自動的にバッテリセーブモードに入るため、ユーザは、デジタル携帯電話機１の電池残量を意識する必要がなくなる。そして、デジタル携帯電話機１がバッテリセーブモードに入った場合には、メイン表示部２３の表示機能を停止させ、サブ表示部２４のみを起動させることで、バッテリ電池３７の消費を抑えることができる。
【００７２】
また、バッテリセーブモードに入った際、メイン表示部２３の表示機能を停止させるとともに、通信部６７の通信機能も停止させることにより、バッテリ電池３７の消費をさらに抑えることができる。この場合のデジタル携帯電話機１は、アドレス帳として機能することになる。
【００７３】
また以上においては、バッテリセーブモードのモード種類が「電池残量」に設定されている場合、バッテリ電池３７の電池残量が所定の設定値以下になったことをトリガにしてバッテリセーブモードに入るようにしたが、本発明はこれに限らず、例えば、メイン表示部２３に表示されている、バッテリ電池３７の電池残量を表わすアイコン９１が、図５Ｃに示した表示になったことをトリガにしてバッテリセーブモードに入るようにしてもよい。
【００７４】
また、バッテリセーブモードに入ったデジタル携帯電話機１を、折り畳んだ状態（図２Ｂ）から折り畳みを開いた状態（図１）にした際に、自動的に、サブ表示部２４において、電話番号の検索モードなどが起動されるようにしてもよい。
【００７５】
このように、従来、バッテリ電池の充電を行うことができないような状況下で、バッテリ電池の残量がゼロ（ＥＭＰＴＹ状態）になってしまった場合、デジタル携帯電話機１に登録されている電話帳リストを見ることができず、連絡先がわからなくなるという問題が生じていたが、本発明を適用することにより、バッテリ電池３７の電池残量に応じて、自動的にメイン表示部２３の表示機能を停止させ、サブ表示部２４のみを起動させることで、通常時よりもバッテリ電池の使用時間を長くし、残りわずかなバッテリ電池で、電話番号検索といった特定機能を操作することができる。
【００７６】
さらに以上においては、デジタル携帯電話機１を例に挙げ説明したが、本発明はこれに限られるものではなく、例えば、メイン表示部とサブ表示部が実装されたＰＤＡ（Ｐｅｒｓｏｎａｌ  Ｄｉｇｉｔａｌ  Ａｓｓｉｓｔａｎｔｓ）やデジタルビデオカメラなどの電子機器などに広く適用することが可能である。
【００７７】
上述した一連の処理は、ハードウェアにより実行させることもできるし、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、ネットワークや記録媒体からインストールされる。
【００７８】
この記録媒体は、図２に示されるように、装置本体とは別に、ユーザにプログラムを提供するために配布される、プログラムが記録されているリムーバブルメディア４１、磁気ディスク（フレキシブルディスクを含む）、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）を含む）、光磁気ディスク（ＭＤ（Ｍｉｎｉ−Ｄｉｓｃ）（登録商標）を含む）、もしくは半導体メモリなどにより構成されるだけでなく、装置本体に予め組み込まれた状態でユーザに提供される、プログラムが記録されているＲＯＭ６２や記憶部６４などで構成される。
【００７９】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００８０】
【発明の効果】
以上のように、本発明によれば、バッテリ電池の残量を管理することが可能となる。特に、バッテリ電池の残量に応じてバッテリセーブモードに遷移し、メイン表示部の表示機能を停止させるとともに、サブ表示部のみを起動させることで、バッテリ電池の消費を抑えることが可能となる。
【図面の簡単な説明】
【図１】本発明に係るデジタル携帯電話機の外観の構成例を示す図である。
【図２】本発明に係るデジタル携帯電話機の外観の他の構成例を示す図である。
【図３】デジタル携帯電話機の内部の構成例を示す機能ブロック図である。
【図４】メイン表示部の表示例を示す図である。
【図５】バッテリの残量を表わすアイコンの表示例を示す図である。
【図６】バッテリセーブモード設定画面の表示例を示す図である。
【図７】バッテリセーブモード処理を説明するフローチャートである。
【符号の説明】
１  デジタル携帯電話機２３  ，  メイン表示部，  ２４  サブ表示部，  ３１  操作キー，  ３４  ジョグダイヤル，  ３６  サイドキー，  ３７  バッテリ電池，  ４１  リムーバブルメディア，  ６１  ＣＰＵ，  ６５  バッテリ制御部，  ７０  表示制御部，  ９１  アイコン
【図１】
2004297279.tif 000003
【図２】
2004297279.tif 000004
【図３】
2004297279.tif 000005
【図４】
2004297279.tif 000006
【図５】
2004297279.tif 000007
【図６】
2004297279.tif 000008
【図７】
2004297279.tif 000009